(57)【要約】【課題】本発明はバッテリーパックを提供する。【解決手段】ラベルが弾性を有する織物材質の騒音防止部や切開部である騒音防止部を備えているので、バッテリーパックに加わるねじりなどによってフレームまたはバッテリーセルと接着されたラベル貼付け面が分離することを防止することができ、貼付け面の移動時に発生する騒音を防止することもできる。【選択図】図１ａ
2015103515.tif 000002
【特許請求の範囲】
【請求項１】
バッテリーセル、
前記バッテリーセルに電気的に連結された保護回路モジュール、
前記バッテリーセルと前記保護回路モジュールを収容するフレーム、および
前記バッテリーセル、前記保護回路モジュールおよび前記フレームを囲むラベルを含み、
前記ラベルには前記フレームの長さ方向と垂直な方向に騒音防止部が形成されたことを特徴とするバッテリーパック。
【請求項２】
前記騒音防止部は前記フレームの長さ方向と垂直な方向に形成された切開部であることを特徴とする請求項１に記載のバッテリーパック。
【請求項３】
前記切開部は前記フレームと前記バッテリーセルとの間に形成されたことを特徴とする請求項２に記載のバッテリーパック。
【請求項４】
前記騒音防止部は織物タイプのラベルであることを特徴とする請求項１に記載のバッテリーパック。
【請求項５】
前記織物タイプのラベルはアセテート素材のラベルであることを特徴とする請求項４に記載のバッテリーパック。
【請求項６】
前記バッテリーセルは、
一側に突出した電極タップを有し、板状の第１バッテリーセルおよび第２バッテリーセルを含むことを特徴とする請求項１に記載のバッテリーパック。
【請求項７】
前記第１バッテリーセルの電極タップと前記第２バッテリーセルの電極タップは相互に向き合い、前記保護回路モジュールを中心に両側で前記保護回路モジュールと接続したことを特徴とする請求項６に記載のバッテリーパック。
【請求項８】
前記フレームは、
前記保護回路モジュールに接続した前記第１バッテリーセルと前記第２バッテリーセルの外側面を囲む四角枠状の第１フレーム、および
前記第１フレームと一体形で前記保護回路モジュールの第１面を覆う板状の第２フレームを含むことを特徴とする請求項７に記載のバッテリーパック。
【請求項９】
前記ラベルは第１バッテリーセルの第１面、前記第２バッテリーセルの第１面および前記第２フレームを覆い、前記騒音防止部を備える第１ラベル、および
前記第１バッテリーセルの第１面の反対面である第２面、前記第２バッテリーセルの第１面の反対面である第２面、および前記保護回路モジュールの第１面の反対面である第２面を覆う第２ラベルを含むことを特徴とする請求項８に記載のバッテリーパック。
【請求項１０】
前記第１ラベルは前記第１フレームの一部に接着され、前記第１ラベルを固定させるための固定部をさらに含むことを特徴とする請求項９に記載のバッテリーパック。
【請求項１１】
前記騒音防止部は前記第１バッテリーセルと前記第２フレームとの間に形成された第１切開部と、前記第２バッテリーセルと前記第２フレームとの間に形成された第２切開部とを含むことを特徴とする請求項８に記載のバッテリーパック。
【請求項１２】
前記ラベルは第１バッテリーセルの第１面の一部と、前記第２バッテリーセルの第１面の一部をそれぞれ覆う第１ラベル、
前記第１バッテリーセルの第１面の反対面である第２面と、前記第２バッテリーセルの第１面の反対面である第２面と、前記保護回路モジュールの第１面の反対面である第２面とを覆う第２ラベル、および
前記第２フレームを覆う織物タイプの騒音防止部である第３ラベルを含むことを特徴とする請求項８に記載のバッテリーパック。
【請求項１３】
前記第３ラベルは、
前記第２フレームと隣接した前記第１バッテリーセルの第１面の一部および前記第２バッテリーセルの第１面の一部を覆うことを特徴とする請求項１２に記載のバッテリーパック。
【請求項１４】
前記第３ラベルは縦糸と横糸が交差するアセテート織物からなり、
前記第３ラベルの枠は前記縦糸および前記横糸に垂直でなく、一定角を有することを特徴とする請求項１３に記載のバッテリーパック。
【請求項１５】
前記第３ラベルは前記第１フレームの一部に接着され、前記第３ラベルを固定させるための固定部をさらに含むことを特徴とする請求項１２に記載のバッテリーパック。
【発明の詳細な説明】
【技術分野】
【０００１】
本発明はバッテリーパックに関する。
【背景技術】
【０００２】
一般にノートパソコン、ミニノートパソコン、ネットブック、モバイルコンピュータ、ＵＭＰＣ（Ｕｌｔｒａ  Ｍｏｂｉｌｅ  Ｐｅｒｓｏｎａｌ  Ｃｏｍｐｕｔｅｒ）およびＰＭＰ（Ｐｏｒｔａｂｌｅ  Ｍｕｌｔｉｍｅｄｉａ  Ｐｌａｙｅｒ）のような電子装置は移動型電源として多数のバッテリーセルが直列または／および並列に連結されてなるバッテリーパックを利用する。このようなバッテリーパックは過充電、過放電または過電流からバッテリーセルを保護するための保護回路モジュール（ＰＣＭ：ｐｒｏｔｅｃｔｉｖｅ  ｃｉｒｃｕｉｔ  ｍｏｄｕｌｅ）を含み、前記バッテリーセルおよび保護回路モジュールはフレーム内に共に内蔵される。
【０００３】
また、最近はデバイスの軽薄短小の傾向によりバッテリーパックは非常に薄い厚さの構造が要求されている。このようなデバイスに適用されるバッテリーパックは厚さ減少のために枠形のフレームにテープ形態のラベルを付着してバッテリーセルと保護回路モジュールをフレーム内側に固定および保護できる。このとき、ラベルはバッテリーセルおよび保護回路の保護および固定のためにハードタイプのラベルが利用される。
【０００４】
そして、デバイスの厚さが薄くなればデバイスは柔軟性（ｆｌｅｘｉｂｌｅ）を有することができ、デバイス内側に収容されたバッテリーパックはデバイスとともに曲がったり形態変形があることもある。
【０００５】
しかし、バッテリーパックが曲がったり形態変形が生じる場合、ハードラベルの接着面がバッテリーセルまたはフレームから分離し、騒音が発生する。
【発明の概要】
【発明が解決しようとする課題】
【０００６】
本発明は上記問題点に鑑みてなされたものであり、本発明の目的は、ラベルが騒音防止部を備えているので、バッテリーパックに加わるねじりによってフレームまたはバッテリーセルと接着されたラベルとの分離を防止することができ、ラベル貼付け面の移動時に発生する騒音も防止できるバッテリーパックを提供することにある。
【課題を解決するための手段】
【０００７】
前記目的を達成するために、本発明によるバッテリーパックは、バッテリーセル、前記バッテリーセルに電気的に連結された保護回路モジュール、前記バッテリーセルと前記保護回路モジュールを収容するフレームおよび、前記バッテリーセル、前記保護回路モジュールおよび前記フレームを囲むラベルを含み、前記ラベルには前記フレームの長さ方向と垂直な方向に騒音防止部が形成されることができる。
【０００８】
前記騒音防止部は前記フレームの長さ方向と垂直な方向に形成された切開部であることができる。
【０００９】
前記切開部は前記フレームと前記バッテリーセルとの間に形成されることができる。
【００１０】
前記騒音防止部は織物タイプのラベルであることができる。
【００１１】
前記織物タイプのラベルはアセテート素材のラベルであることができる。
【００１２】
前記バッテリーセルは一側に突出した電極タップを有し、板状の第１バッテリーセルと第２バッテリーセルを含むことができる。
【００１３】
前記第１バッテリーセルの電極タップと前記第２バッテリーセルの電極タップは相互に向き合い、前記保護回路モジュールを中心に両側で前記保護回路モジュールと接続することができる。
【００１４】
前記フレームは前記保護回路モジュールに接続した第１バッテリーセルと第２バッテリーセルの外側面を囲む四角枠状の第１フレームと、前記第１フレームと一体形で前記保護回路モジュールの第１面を覆う板状の第２フレームを含むことができる。
【００１５】
前記ラベルは第１バッテリーセルの第１面と、前記第２バッテリーセルの第１面および前記第２フレームを覆い、前記騒音防止部を備えた第１ラベルおよび、前記第１バッテリーセルの第１面の反対面である第２面と、前記第２バッテリーセルの第１面の反対面である第２面と、前記保護回路モジュールの第１面の反対面である第２面を覆う第２ラベルを含むことができる。
【００１６】
前記第１ラベルは前記第１フレームの一部に接着されて前記第１ラベルを固定させるための固定部をさらに含むことができる。
【００１７】
前記騒音防止部は前記第１バッテリーセルと前記第２フレームの間に形成された第１切開部と、前記第２バッテリーセルと前記第２フレームの間に形成された第２切開部を含むことができる。
【００１８】
前記ラベルは第１バッテリーセルの第１面の一部と、前記第２バッテリーセルの第１面の一部をそれぞれ覆う第１ラベルと、前記第１バッテリーセルの第１面の反対面である第２面と、前記第２バッテリーセルの第１面の反対面である第２面と、前記保護回路モジュールの第１面の反対面である第２面を覆う第２ラベルおよび、前記第２フレームを覆う織物タイプの騒音防止部である第３ラベルを含むことができる。
【００１９】
前記第３ラベルは前記第２フレームと隣接した前記第１バッテリーセルの第１面の一部と前記第２バッテリーセルの第１面の一部を覆うこともできる。
【００２０】
前記第３ラベルは縦糸と横糸が交差するアセテート織物からなり、前記第３ラベルの枠は前記縦糸および前記横糸と垂直でなく一定角を有することができる。
【００２１】
前記第３ラベルは前記第１フレームの一部に接着されて前記第３ラベルを固定させるための固定部をさらに含むことができる。
【発明の効果】
【００２２】
本発明によるバッテリーパックは、ラベルが騒音防止部を備えているので、バッテリーパックに加わるねじりによってフレームまたはバッテリーセルと接着されたラベルとの分離を防止することができ、ラベル貼付け面の移動時に発生する騒音を防止することもできる。
【図面の簡単な説明】
【００２３】
【図１ａ】本発明の一実施例によるバッテリーパックを示した斜視図である。
【図１ｂ】本発明の一実施例によるバッテリーパックを示した分解斜視図である。
【図２】図１ａのバッテリーパックでラベルが付着する前を示した底面図である。
【図３】図１ａのバッテリーパックで切開部が形成される前を示した斜視図である。
【図４ａ】本発明の他の実施例によるバッテリーパックを示した斜視図である。
【図４ｂ】本発明の他の実施例によるバッテリーパックを示した分解斜視図である。
【図５】図４ｂのバッテリーパックにおいて符号５の部分を示した拡大図である。
【発明を実施するための形態】
【００２４】
以下、添付図面を参照して本発明の好ましい実施例を詳しく説明する。本発明の実施例は当該技術分野で通常の知識を有する者に本発明をさらに完全に説明するために提供されるものであり、下記実施例は多様な他の形態に変形可能であって、本発明の範囲が下記実施例に限定されるものではない。むしろ、それらの実施例は本開示をさらに充実かつ完全にし、当業者に本発明の思想を完全に伝達するために提供される。
【００２５】
本明細書において、ある部分が他の部分と電気的に連結（ｅｌｅｃｔｒｉｃａｌｌｙ  ｃｏｕｐｌｅｄ）されていると言及される場合、これは直接的に連結されている場合だけでなく、その中間に他の素子を間において連結されている場合も含む。
【００２６】
図１ａは本発明の一実施例によるバッテリーパックを示した斜視図であり、図１ｂは図１ａに示されたバッテリーパックの分解斜視図である。
【００２７】
図１ａおよび図１ｂに示されているように、バッテリーパックはバッテリーセル１１０、前記バッテリーセル１１０に電気的に連結された保護回路モジュール１２０、前記バッテリーセル１１０と共に前記保護回路モジュール１２０を収容するフレーム１３０、および、前記バッテリーセル１１０、保護回路モジュール１２０およびフレーム１３０を囲むラベル１４０を含む。
【００２８】
また、図２は、図１ａのバッテリーパック１００においてラベル１４０が付着する前を示した底面図である。以下、図１ａおよび図１ｂに示されたバッテリーパック１００を図２を参照して説明する。
【００２９】
前記バッテリーセル１１０は一側に突出した電極タップ１１１ａを有する第１バッテリーセル１１１と前記第１バッテリーセル１１１の電極タップ１１１ａと相互に向き合うように電極タップ１１２ａが突出した第２バッテリーセル１１２を含むことができる。つまり、バッテリーセル１１０は同一平面上で、電極タップ１１１ａ、１１２ａが互いに向き合うように配置された第１バッテリーセル１１１および第２バッテリーセル１１２を含むことができる。
【００３０】
また、前記第１バッテリーセル１１１と第２バッテリーセル１１２の電極タップ１１１ａ、１１２ａは互いに向き合うと同時に、前記保護回路モジュール１２０と電気的に接続する。前記第１バッテリーセル１１１および第２バッテリーセル１１２はパウチタイプのバッテリーであることもあるが、本発明はこれに限定されるものではない。図においては二つのバッテリーセル１１０が保護回路モジュールと連結されたことを示したが、本発明はこれに限定されるものではない。つまり、前記保護回路モジュール１２０は、同一平面上に配置された二つ以上のバッテリーセルと電気的に連結されることもある。
【００３１】
前記バッテリーセル１１１、１１２はスリムな板状のバッテリーセルで、それぞれ平らな第１面１１１ｂ、１１２ｂと、前記第１面１１１ｂ、１１２ｂの反対面である第２面１１１ｃ、１１２ｃを有する。前記バッテリーセル１１１、１１２の第１面１１１ｂ、１１２ｂおよび第２面１１１ｃ、１１２ｃは四角板状であり得る。また、バッテリーセル１１１、１１２それぞれは第１面１１１ｂ、１１２ｂと第２面１１１ｃ、１１２ｃの４方向の周りを連結する、４つの側壁１１１ｄ、１１２ｄを備えることができる。前記バッテリーセル１１１、１１２は４つの側壁１１１ｄ、１１２ｄのうち、選択された一つの側壁を通して電極タップ１１１ａ、１１２ａが突出する。また、各バッテリーセル１１１、１１２は互いに極性が違う電極タップ１１１ａ、１１２ａをそれぞれ二つ備えることができる。また、前記第１バッテリーセル１１１と第２バッテリーセル１１２は同一の形状であることができるが、本発明はこれに限定されるものではない。
【００３２】
前記保護回路モジュール１２０は第１バッテリーセル１１１の電極タップ１１１ａが突出した一側壁１１１ｄと第２バッテリーセル１１２の電極タップ１１２ａが突出した一側壁１１２ｄの間に位置できる。つまり、第１バッテリーセル１１１と第２バッテリーセル１１２は保護回路モジュール１２０を中心に両側で保護回路モジュール１２０と接続する。
【００３３】
前記保護回路モジュール１２０は多数の配線パターンが形成され、板状の回路基板１２１を含む。また、保護回路モジュール１２０は前記回路基板１２１の第１面１２１ａに形成された多数の保護素子１２２などをさらに含むことができ、回路基板１２１の第１面１２１ａの反対面である第２面１２１ｂに形成されて、バッテリーセル１１０の電極タップ１１１ａ、１１２ａと接続する導電パッド１２３をさらに含むことができる。つまり、保護回路モジュール１２０は回路基板１２１に形成された導電パッド１２３を通じてバッテリーセル１１０の電極タップ１１１ａ、１１２ａと電気的に連結される。また、保護回路モジュール１２０は回路基板１２１の一端に電気的に連結され、フレーム１３０の一側に一定の長さほど突出した外部端子１２４をさらに含む。前記外部端子１２４は回路基板１２１の配線パターンと電気的に連結されることができる。つまり、外部端子１２４は前記回路基板１２１を通じてバッテリーセル１１０と電気的に連結され、前記バッテリーセル１１０は前記外部端子１２４を通じて充電および放電されることができる。
【００３４】
また、保護回路モジュール１２０の第１面は回路基板１２１の第１面１２１ａであることができ、保護回路モジュール１２０の第２面は回路基板１２１の第２面１２１ｂと同一面であることができる。前記保護回路モジュール１２０の第１面１２１ａと第１バッテリーセル１１１の第１面１１１ｂおよび第２バッテリーセル１１２の第１面１１２ａは図１ｂで上面であることができ、前記保護回路モジュール１２０の第２面１２１ｂと第１バッテリーセル１１１の第２面１１１ｃおよび第２バッテリーセル１１２の第２面１１２ｃは底面であることができる。
【００３５】
前記フレーム１３０は前記バッテリーセル１１０と前記保護回路モジュール１２０を収容して、これらを外部環境から保護する。前記フレーム１３０は保護回路モジュール１２０に接続した第１バッテリーセル１１１と第２バッテリーセル１１２の外側面を囲む四角枠状の第１フレーム１３１と、前記第１フレーム１３１と一体形で、保護回路モジュール１２０の第１面１２１ａを覆う板状の第２フレーム１３２を含む。
【００３６】
前記第１フレーム１３１は一側枠１３０ａが第２フレーム１３２と連結されることができ、前記一側枠１３０ａの反対側である他側枠１３０ｂに前記保護回路モジュール１２０の外部端子１２４を外部に露出させるための、露出ホール１３１ｃを備えることができる。また、フレーム１３０の一側枠は第１フレーム１３１の一側枠１３０ａであることができ、フレーム１３０の他側枠は第１フレーム１３１の他側枠１３０ｂであることができる。また、フレーム１３０の一側枠１３０ａは第１バッテリーセル１１１の第１面１１１ｂおよび第２バッテリーセル１１２の第１面１１２ｂと同一面をなす枠であることができる。また、フレーム１３０の他側枠１３０ｂは第１バッテリーセル１１１の第２面１１１ｃおよび第２バッテリーセル１１２の第２面１１２ｃと同一面をなす枠であることができる。
【００３７】
前記第１フレーム１３１は第１バッテリーセル１１１、保護回路モジュール１２０および第２バッテリーセル１１２を一列に配置した方向が長さ方向ｘであることができる。前記第１フレーム１３１は二つの長さ方向側壁１３１ａと、前記二つの長さ方向側壁１３１ａの間を連結する二つの幅方向側壁１３１ｂからなる。
【００３８】
前記露出ホール１３１ｃは前記長さ方向側壁１３１ａのうち、いずれか一つの長さ方向の中心に形成されることができる。前記露出ホール１３１ｃは前記第２フレーム１３２と対応する位置に形成されることができる。
【００３９】
前記第２フレーム１３２はほぼ板状で前記第１フレーム１３１の二つの長さ方向側壁１３１ａの間を連結し、好ましくは二つの長さ方向側壁１３１ａの長さ方向の中心の間を連結することができる。前記第２フレーム１３２は前記第１フレーム１３１の二つの長さ方向側壁１３１ａの一側枠の間を連結して、フレーム１３０に収容された保護回路モジュール１２０の第１面１２１ａを覆う。前記第２フレーム１３２は前記保護回路モジュール１２０の第１面１２１ａ全てを覆う大きさに形成することが望ましい。
【００４０】
前記ラベル１４０はフレーム１３０の一側枠１３０ａに接着される第１ラベル１４１と、前記フレーム１３０の他側枠１３０ｂに接着される第２ラベル１４２を含む。前記ラベル１４０はフレーム１３０と対向する面に具備された接着成分により前記フレーム１３０に接着されることができる。前記ラベル１４０はポリエチレンテレフタラート（ｐｏｌｙｅｔｈｙｌｅｎｅ  ｔｅｒｅｐｈｔｈａｌａｔｅ；ＰＥＴ）のような材質からなることができるが、本発明はこれに限定されるものではない。
【００４１】
前記第１ラベル１４１は前記フレーム１３０の一側枠１３０ａに接着されると同時に、第１バッテリーセル１１１の第１面１１１ｂおよび第２バッテリーセル１１２の第１面１１２ｂに接着される。また、第１ラベル１４１は前記フレーム１３０の第２フレーム１３２に接着される。つまり、前記第１ラベル１４１は前記フレーム１３０の一側枠１３０ａ全てを覆うように、前記フレーム１３０、第１バッテリーセル１１１および第２バッテリーセル１１２に接着される。
【００４２】
前記第１ラベル１４１はフレーム１３０の長さ方向と垂直な方向に、形成された騒音防止部１４１ａを含む。前記騒音防止部１４１ａは前記フレーム１３０の長さ方向と垂直な幅方向に切開された切開部１４１ａである。図３は前記第１ラベル１４１が前記フレーム１３０の一側枠１３０ａを覆うように接着された後を示した斜視図である。つまり、前記騒音防止部１４１ａは前記第１ラベル１４１が前記フレーム１３０の一側枠１３０ａおよびバッテリーセル１１０を覆うように接着された後に形成される、前記フレーム１３０の長さ方向と垂直な幅方向に前記第１ラベル１４１を分離させる切開部１４１ａである。
【００４３】
前記騒音防止部１４１ａである切開部は前記フレーム１３０と前記バッテリーセル１１０の間に形成されることができる。より詳しくは、前記騒音防止部１４１ａである切開部は前記第２フレーム１３２と第１バッテリーセル１１１の間に形成された第１切開部１４１ｂと、前記第２フレーム１３２と第２バッテリーセル１１２の間に形成された第２切開部１４１ｃを含むことができる。つまり、第１ラベル１４１は前記フレーム１３０の幅方向に切開された二つの切開部１４１ａが第２フレーム１３２の周縁と対応する位置にそれぞれ形成されることができる。
【００４４】
前記第１ラベル１４１は前記騒音防止部１４１ａによって第２フレーム１３２とバッテリーセル１１０の間の境界部分が分離するので、フレーム１３０の両側幅方向側壁１３１ｂの間に加わるねじりによってフレーム１３０またはバッテリーセル１１０と接着された貼付け面が分離することを防止することができる。したがって、前記ラベル１４０は切開部１４１ａによって第２フレーム１３２とバッテリーセル１１０の境界部分の貼付け面が移動される場合に発生する騒音を防止することもできる。
【００４５】
前記第１ラベル１４１は前記フレーム１３０の他側枠１３０ｂまで延長され、前記フレーム１３０の外部を囲んで前記ラベル１４０を接着および固定させるための複数の固定部１４１ｄをさらに備えることができる。
【００４６】
前記第２ラベル１４２は前記フレーム１３０の他側枠１３０ｂに接着されると同時に、第１バッテリーセル１１１の第２面１１１ｃと、第２バッテリーセル１１２の第２面１１２ｃに接着される。また、第２ラベル１４１は保護回路モジュール１２０の第２面１２１ｂに接着される。前記第２ラベル１４２は保護回路モジュール１２０の第２面１２１ｂ全てを覆うように接着されることができ、第１バッテリーセル１１１の第２面１１１ｃと、第２バッテリーセル１１２の第２面１１２ｃの一部を覆うように接着されることができる。前記第２ラベル１４２はフレーム１３０の他側枠１３０ｂのうち、長さ方向側壁１３１ａの一つを外部に露出させることができる。つまり、第２ラベル１４２はほぼＴ形状で、保護回路モジュール１２０の第２面１２１ｂを全て覆い、第１バッテリーセル１１１と第２バッテリーセル１１２およびフレーム１３０の他側枠１３０ｂの一部を覆うように接着されることができるが、本発明はこれに限定されるものではない。
【００４７】
このようなバッテリーパック１００はフレーム１３０とバッテリーセル１１０の境界部分を分離する切開部である騒音防止部１４１ａを備えているため、ねじりなどによってラベル貼付け面がフレーム１３０およびバッテリーセル１１０から分離することを防止でき、貼付け面の移動による騒音を防止することもできる。
【００４８】
図４ａは本発明の他の実施例によるバッテリーパックを示した斜視図であり、図４ｂは図４ａに示されたバッテリーパックの分解斜視図である。
【００４９】
図４ａおよび図４ｂに示されているように、バッテリーパック２００はバッテリーセル１１０、前記バッテリーセル１１０に電気的に連結された保護回路モジュール１２０、前記バッテリーセル１１０と前記保護回路モジュール１２０を一緒に収容するフレーム１３０および、前記バッテリーセル１１０、保護回路モジュール１２０およびフレーム１３０を囲むラベル２４０を含む。
【００５０】
図４ａおよび図４ｂに示されたバッテリーパック２００のバッテリーセル１１０、保護回路モジュール１２０およびフレーム１３０は図１ａおよび図１ｂに示されたバッテリーパック１００と同一である。したがって、以下、図１ａおよび図１ｂに示されたバッテリーパック１００と相違したバッテリーパック２００のラベル２４０を中心に説明する。
【００５１】
前記ラベル２４０はフレーム１３０の一側枠１３０ａおよび第１バッテリーセル１１１の第１面１１１ｂの一部と、第２バッテリーセル１１２の第１面１１２ｂの一部をそれぞれ覆う第１ラベル２４１と、前記フレーム１３０の他側枠１３０ｂに接着される第２ラベル２４２および、フレーム１３０の長さ方向と垂直に前記第２フレーム１３２を覆うように接着された騒音防止部である第３ラベル２４３を含む。前記ラベル２４０はフレーム１３０と対向する面に具備された接着成分により前記フレーム１３０に接着されることができる。
【００５２】
前記第１ラベル２４１は前記フレーム１３０の一側枠１３０ａに接着されると同時に、第１バッテリーセル１１１の第１面１１１ｂに接着される。また、第１ラベル２４１は前記フレーム１３０の一側枠１３０ａに接着されると同時に、第２バッテリーセル１１２の第１面１１２ｂに接着される。つまり、二つの第１ラベル２４１は第２フレーム１３２を中心に、対称になるように複数のバッテリーセル１１０にそれぞれ接着されることができる。前記第１ラベル２４１は電極タップ１１１ａ、１１２ａが突出した第１バッテリーセル１１１および第２バッテリーセル１１２の一側と隣接した第１面１１１ｂ、１１２ｂの一部分を外部に露出させる。
【００５３】
前記第１ラベル２４１は前記フレーム１３０の他側枠１３０ｂまで延長され、前記フレーム１３０の外部を囲んで前記第１ラベル２４１を接着および固定させるための複数の固定部２４１ｄをさらに備えることができる。
【００５４】
前記第２ラベル２４２は前記フレーム１３０の他側枠１３０ｂに接着されると同時に、第１バッテリーセル１１１の第２面１１１ｃと、第２バッテリーセル１１２の第２面１１２ｃに接着される。また、第２ラベル２４１は保護回路モジュール１２０の第２面１２１ｂに接着される。前記第２ラベル２４２は保護回路モジュール１２０の第２面１２１ｂ全てを覆うように接着されることができ、第１バッテリーセル１１１の第２面１１１ｃと、第２バッテリーセル１１２の第２面１１２ｃの一部を覆うように接着されることもできる。前記第２ラベル２４２はフレーム１３０の他側枠１３０ｂのうち、長さ方向側壁１３１ａの一つを外部に露出させることができる。つまり、第２ラベル２４２はほぼＴ形状で、保護回路モジュール１２０の第２面１２１ｂを全て覆い、第１バッテリーセル１１１、第２バッテリーセル１１２およびフレーム１３０の他側枠１３０ｂの一部を覆うように接着できるが、本発明はこれに限定されるものではない。
【００５５】
前記第１ラベル１４１および第２ラベル２４２はポリエチレンテレフタラート（ｐｏｌｙｅｔｈｙｌｅｎｅ  ｔｅｒｅｐｈｔｈａｌａｔｅ；ＰＥＴ）のような材質からなることができるが、本発明はこれに限定されるものではない。
【００５６】
前記第３ラベル２４３は騒音防止部で第２フレーム１３２を覆うように接着され、電極タップ１１１ａ、１１２ａが突出した第１バッテリーセル１１１および第２バッテリーセル１１２の一側と隣接した第１面１１１ｂ、１１２ｂの一部分を覆うように接着されることもできる。つまり、第３ラベル２４３は第２フレーム１３２とバッテリーセル１１０の境界部分を覆うようにフレーム１３０の一側枠１３０ａに接着される。
【００５７】
前記第３ラベル２４３は第１バッテリーセル１１１および第２バッテリーセル１１２にそれぞれ接着された二つの第１ラベル２４１の間に位置することができる。つまり、第１ラベル１４１は第３ラベル２４３を中心に、両側に対称になるように第１バッテリーセル１１１および第２バッテリーセル１１２にそれぞれ接着されることができる。前記第３ラベル２４３は前記フレーム１３０の他側枠１３０ｂまで延長され、前記フレーム１３０の外部を囲んで前記第３ラベル２４３を接着および固定させるための複数の固定部２４３ａをさらに備えることができる。
【００５８】
前記第３ラベル２４３は伸縮性を有する織物材質からなることができる。より詳しくは、第３ラベル２４３は織物タイプのアセテート（ａｃｅｔａｔｅ）からなることができる。
【００５９】
前記第３ラベル２４３は織物タイプで、図５に示されているように、互いに垂直な縦糸Ａと横糸Ｂが交差する構造を有する。また、第３ラベル２４３は縦糸Ａと横糸Ｂの交差によって多数の空気通路を有するので、バッテリーパック２００の通気性および放熱性を向上させることができる。また、第３ラベル２４３の枠Ｃは縦糸Ａおよび横糸Ｂに垂直または水平でなく、一定角を有する。前記一定角は３０度乃至６０度のうち、選択されたいずれか一つの角であることができる。より詳しくは、前記第３ラベル２４３は切断面である枠Ｃから縦糸Ａと横糸Ｂが解けることを防止するため、織物の付勢方向に切断されて、枠Ｃと縦糸Ａとの角度と、枠Ｃと横糸Ｂとの角度は４５度であることが好ましい。
【００６０】
前記騒音防止部である第３ラベル２４３は伸縮性を有する織物タイプで、フレーム１３０の両側幅方向側壁１３１ｂの間にねじりが加わってもフレーム１３０またはバッテリーセル１１０と接着された貼付け面が分離することを防止することができる。したがって、騒音防止部である第３ラベル２４３は第２フレーム１３２とバッテリーセル１１０の境界部分の貼付け面が分離しないので、貼付け面の移動時に発生する騒音を防止することもできる。
【００６１】
以上の説明は、本発明によるバッテリーパックを実施するための一つの実施例に過ぎないものであって、本発明は前記実施例に限定されるものではなく、以下の特許請求の範囲において請求するように、本発明の要旨を逸脱することなく、本発明の技術的精神の範囲内で、当該発明の属する分野で通常の知識を有する者であれば、誰でも多様な変更実施が可能であるとみなされる。
【図１ａ】
2015103515.tif 000003
【図１ｂ】
2015103515.tif 000004
【図２】
2015103515.tif 000005
【図３】
2015103515.tif 000006
【図４ａ】
2015103515.tif 000007
【図４ｂ】
2015103515.tif 000008
【図５】
2015103515.tif 000009